(57)【要約】【課題】  天井下地の設置高さの調整を容易とする取付部材等を提供する。【解決手段】  二重天井の天井下地１を構成する水平部材３を壁面Ｗに取り付けるための取付部材２であり、水平部材１の端部を保持する保持部２２と、壁面Ｗへ固定するための締結具Ｔが挿入される複数の取付孔２１と、を備えた取付部材２であって、複数の取付孔２１のうちの少なくとも一部の取付孔を垂直方向に伸びる長孔２１ａで構成する。また、取付孔に挿入された締結具Ｔにより壁面に固定された上記記載の取付部材２と、取付部材２の保持部２２で保持された水平部材３と、により天井下地１を構成する。【選択図】  図１
2005068883.tif 000002
【特許請求の範囲】
【請求項１】
二重天井の天井下地を構成する水平部材を壁面に取り付けるための取付部材であり、水平部材の端部を保持する保持部と、壁面へ固定するための締結具が挿入される複数の取付孔と、を備えた取付部材であって、
複数の取付孔のうちの少なくとも一部の取付孔を垂直方向に伸びる長孔で構成したことを特徴とする取付部材。
【請求項２】
更に、一部の取付孔を丸孔で構成したことを特徴とする請求項１に記載の取付部材。
【請求項３】
断面コの字状に形成され、コの字の３辺で囲まれる部分で保持部を構成し、コの字の垂直辺で構成される面に取付孔を形成したことを特徴とする請求項１又は２に記載の取付部材。
【請求項４】
取付孔に挿入された締結具により壁面に固定された請求項１乃至３の何れか一項に記載の取付部材と、取付部材の保持部で保持された水平部材と、により構成される天井下地。
【請求項５】
請求項１に記載の取付部材の保持部で水平部材を保持するとともに、長孔の取付孔を用いて締結具で壁面に取付部材を仮固定する仮固定工程と、
締結具を長孔内で相対的に移動させることにより取付部材を垂直方向に移動させて天井下地の設置高さを調整する調整工程と、
を含むことを特徴とする天井下地設置方法。
【請求項６】
請求項２に記載の取付部材の保持部で水平部材を保持するとともに、長孔の取付孔を用いて締結具で壁面に取付部材を仮固定する仮固定工程と、
締結具を長孔内で相対的に移動させることにより取付部材を垂直方向に移動させて天井下地の設置高さを調整する調整工程と、
丸孔の取付孔を用いて締結具で壁面に取付部材を本固定する本固定工程と、
を含むことを特徴とする天井下地設置方法。
【発明の詳細な説明】
【技術分野】
【０００１】
本発明は、二重天井の天井下地を取り付けるための取付部材、当該取付部材を用いて取り付けられた二重天井の天井下地、及び、二重天井の天井下地を設置する設置方法に関するものである。
【背景技術】
【０００２】
近年、マンション等では、天井パネルを天井スラブから浮かせて設置する二重天井が用いられる。このように天井パネルを天井スラブから浮かせた状態で取り付けるための取付部材として、例えば、吊金具が用いられる（例えば、特許文献１参照。）。
【０００３】
ここで、上記のように天井パネルを取付部材で取り付けて二重天井を形成する場合もあるが、先ず、水平部材を取付部材で取り付けて天井下地を形成し、この天井下地の下面に面材（天井材）を貼付して二重天井を形成することが多くなされる。
【０００４】
そして、このように設置された天井下地の下方には、通常、間仕切のための壁パネルが配設される。
【特許文献１】特開２００３−４１６９５号公報（段落００１３、図１）
【発明の開示】
【発明が解決しようとする課題】
【０００５】
然しながら、天井下地の下方に配設される壁パネルの高さに誤差が生じることがあり、上記従来の取付部材を用いる場合には、その対応が煩雑となっていた。
即ち、壁パネルの高さ寸法が基準寸法より大きい場合、壁パネルが天井下地に支えて設置できないため、天井下地を上方にずらして付け直す必要が生じていた。一方、壁パネルの高さ寸法が基準寸法より小さい場合、天井下地と壁パネルとの間に隙間が生じてしまうため、当該隙間を埋めるための部材を配置する必要が生じていた。
本発明は、このような問題点に鑑みてなされたもので、その課題とするところは、天井下地の設置高さの調整を容易とする取付部材等を提供することにある。
【課題を解決するための手段】
【０００６】
上記課題を解決するため、本発明の取付部材は、二重天井の天井下地を構成する水平部材を壁面に取り付けるための取付部材であり、水平部材の端部を保持する保持部と、壁面へ固定するための締結具が挿入される複数の取付孔と、を備えた取付部材であって、複数の取付孔のうちの少なくとも一部の取付孔を垂直方向に伸びる長孔で構成して構成される（請求項１）。
【０００７】
これによれば、長孔で構成される取付孔内で締結具を相対的に移動させることにより取付部材を垂直方向に移動させることができ、これにより天井下地の設置高さを調整することができる。従って、当該取付部材によれば、天井下地の下方に配設される壁パネルの高さ等に合うよう、天井下地の設置高さの調整を容易とすることができる。なお、締結具は、ネジ等を用いると良い。
【０００８】
この取付部材において、更に、一部の取付孔を丸孔で構成して取付部材を構成すると良い（請求項２）。
【０００９】
これによれば、丸孔で構成される取付孔を用いて締結具で固定することにより、取付部材を調整後の位置に確実に固定することができる。
【００１０】
これら取付部材において、断面コの字状に形成され、コの字の３辺で囲まれる部分で保持部を構成し、コの字の垂直辺で構成される面に取付孔を形成して取付部材を構成すると良い（請求項３）。
【００１１】
これによれば、コの字の３辺で囲まれる部分で保持部を構成するので、当該３辺で水平部材の端部を包囲するように保持することができ、確実且つ容易に水平部材を保持することができる。
【００１２】
また、上記課題を解決するため、長孔で構成される取付孔を用いて締結具で壁面に固定された上記取付部材と、取付部材の保持部で保持された水平部材と、により天井下地を構成する（請求項４）。
【００１３】
これによれば、締結具を緩め長孔で構成される取付孔内を相対的に移動させることにより取付部材を移動させ、ひいては下方に配設される壁パネルの高さ寸法等に合わせて当該下地天井の設置高さを容易に調整することができる。
【００１４】
また、上記課題を解決するため、上記取付部材の保持部で水平部材を保持するとともに、長孔の取付孔を用いて締結具で壁面に取付部材を仮固定する仮固定工程と、締結具を長孔内で相対的に移動させることにより取付部材を垂直方向に移動させて天井下地の設置高さを調整する調整工程と、を含んで天井下地を設置する（請求項５）。
【００１５】
また、上記取付部材の保持部で水平部材を保持するとともに、長孔の取付孔を用いて締結具で壁面に取付部材を仮固定する仮固定工程と、締結具を長孔内で相対的に移動させることにより取付部材を垂直方向に移動させて天井下地の設置高さを調整する調整工程と、丸孔の取付孔を用いて締結具で壁面に取付部材を本固定する本固定工程と、を含んで天井下地を設置する（請求項６）。
【発明の効果】
【００１６】
本発明によれば、天井下地の下方に配設される壁パネルの高さ等に合わせて天井下地の設置高さを容易に調整することができる。
【発明を実施するための最良の形態】
【００１７】
先ず、二重天井の天井下地の構造について、図１及び２を参照して説明する。図１は、実施形態に係る天井下地を示す断面図であり、図２は当該天井下地の要部を示す斜視図である。
【００１８】
図１及び２に示すように、天井下地１は、建物の対向する壁面Ｗにそれぞれ取り付けられた取付部材２と、当該取付部材２に両端部が保持され、略水平となるように取り付けられた水平部材３と、で構成される。
【００１９】
このように構成された天井下地１の下面の一部には壁パネル４が配設され、また、当該壁パネル４が設置される以外の部分には天井材５が配設される。壁パネル４は、その上端面を水平部材３の下面に当接させた状態で、釘やネジ等により水平部材３に接合される。
【００２０】
次に、取付部材２の構造について図３及び４を参照して説明する。図３は、取付部材２を示す斜視図であり、図４は取付部材２を示す側面図である。
【００２１】
図３に示すように、取付部材２は、断面コの字状に形成され、当該取付部材２を建物の壁面に取り付けるための取付孔２１（２１ａ，２１ｂ）と、水平部材３を保持するための保持部２２と、を備えて構成される。
【００２２】
取付孔２１は、取付状態で垂直方向に長い長孔取付孔２１ａと、締結具としてのネジＴのネジ径とほぼ同径かこれより若干太径に形成された丸孔取付孔２１ｂと、で構成され、取付部材２の垂直面２ａに所定間隔で複数配設される。
【００２３】
なお、長孔取付孔２１ａは、一つの取付部材２につき少なくとも２個形成され、望ましくは所定間隔で３個以上形成されることが良い。このように、長孔取付孔２１ａを少なくとも２個形成することにより、当該長孔取付孔２１ａを用いてネジ止めすることで取付部材２を壁面Ｗに略水平状態を保った状態で仮止めすることができ、更に、所定間隔で３個以上形成することにより取付部材２を撓みの少ない状態で壁面Ｗに仮止めすることができる。
【００２４】
また、丸孔取付孔２１ｂは、一つの取付部材２につき少なくとも１個形成され、望ましくは少なくとも２個形成され、より望ましくは所定間隔で３個以上形成されることが良い。このように、丸孔取付孔２１ｂを少なくとも１個形成することにより、当該丸孔取付孔２１ｂを用いてネジ止めすることで取付部材２を壁面Ｗに確実に固定（本止め）することができ、また、少なくとも２個形成することにより、取付部材２を壁面Ｗに略水平状態を保った状態で確実に固定（本止め）することができ、更に、所定間隔で３個以上形成することにより取付部材２を撓みの少ない状態で壁面Ｗに略水平状態を保った状態で確実に固定（本止め）することができる。
【００２５】
更に、望ましくは、長孔取付孔２１ａと丸孔取付孔２１ｂを交互に形成することが良い。取付孔２１の個数を少なくしても、取付部材２を壁面Ｗに確実に固定（本止め）することができる。即ち、丸孔取付孔２１ｂでの固定作用を長孔取付孔２１ａでの固定が補うことができ、従って丸孔取付孔２１ｂの個数を減らしても取付部材２を壁面Ｗに確実に固定（本止め）することができるのである。
【００２６】
保持部２２は、断面コの字形状の各辺で囲まれた部分で構成され、水平部材３の端部を包み込む形で保持するものである。保持部２２の開口幅、即ち断面コの字形状の２つの水平辺間の距離は、水平部材３の高さと略同一かこれより若干大きい寸法に形成される。従って、取付部材２は、保持部２２に水平部材３の端部を挿入することにより、ほぼ固定状態で水平部材３を保持することができる。なお、更に、取付部材２と水平部材３とをボルト等の締結具で接続して、取付部材２と水平部材３の接合を一層確実に行なうようにしても良い。
【００２７】
次に、水平部材３の構造について説明する。図１及び２に示すように、水平部材３は、鉄、アルミニウム等の金属製角パイプで形成される。そして、水平部材３の下面には、必要箇所に壁パネル４が接合され、また、それ以外の箇所には天井材５が接合される。これらの接合は、例えば、前述のように釘やネジ等で成されても良く、接着剤等で成されても良い。
【００２８】
次に、取付部材２を用いて天井下地１を設置する設置方法について図５を参照して説明する。図５は、天井下地１の設置手順を示す図である。
【００２９】
先ず、建物の対向する壁面Ｗに、長孔取付孔２１ａを用いて取付部材２をネジ止め（仮止め）する（図５（Ａ））。このとき、後述するようにネジＴを長孔取付孔２１ａ内で相対的に移動できるようにするため、長孔取付孔２１ａの垂直方向のほぼ中央位置にネジ止めすれば良い。
【００３０】
次いで、保持部２２に水平部材３の端部を挿入し、取付部材２で水平部材３を保持する（図５（Ｂ））。このとき、必要に応じて、取付部材２と水平部材３とをボルト等により接合すれば良い。
【００３１】
次いで、天井下地１（水平部材３）の下部に壁パネル４を配置する（図５（Ｃ））。即ち、設置すべき位置に壁パネル４を仮置きすることにより、天井下地１と壁パネル４との取り合いを確認する。なお、壁パネル４を配置することに替えて、双方の寸法を計測することにより取り合いを確認しても良い。
【００３２】
次いで、取付部材２を垂直方向に移動させて天井下地１の取付高さを壁パネル４の高さに合うように調整する（図５（Ｄ））。即ち、壁パネル４の高さより天井下地１の取付高さが高い場合、即ち、壁パネル４と天井下地１との間に隙間が生じる場合は、ネジＴを長孔取付孔２１ａ内で相対的に移動させて、天井下地１の設置高さを壁パネル４の高さ位置まで下げれば良い。また、壁パネル４の高さより天井下地１の取付高さが低い場合、即ち、壁パネル４が天井下地１に支えてしまう場合は、ネジＴを長孔取付孔２１ａ内で相対的に移動させて、天井下地１の設置高さを壁パネル４の高さ位置まで上げれば良い。
【００３３】
次いで、取付部材２を丸孔取付孔２１ｂを用いてネジ止め（本止め）する。なお、丸孔取付孔２１ｂを用いての本止めに加えて或いは替えて、長孔取付孔２１ａの仮止めネジＴを増し締めすることで本止めとしても良い。
【００３４】
なお、以上のように天井下地１を設置した後に、水平部材３に締結具等を用いて壁パネル４及び天井材５を接合すれば良い。
【００３５】
なお、以上の実施形態では、断面がコの字状となる部材で取付部材２を構成したが、これに限られることなく、例えば、断面がＬ字状となる部材で取付部材２を構成しても良い（図６参照）。この場合、Ｌ字の水平辺と垂直辺とで囲まれる部分で保持部２２’を構成し、水平辺で構成される面（水平面）上に水平部材３を載置し、水平面の下面側からボルト等により水平部材３を固定すれば良い。
【００３６】
また、以上の実施形態では、取付部材２に長孔取付孔２１ａと丸孔取付孔２１ｂとを備えた場合について説明したが、これに限られることなく、取付部材２に長孔取付孔２１ａのみを備えても良い。この場合、前述したように、長孔取付孔２１ａに挿入した仮止め用のネジＴを増し締めして本止めとすれば良い。
更に、本発明は前述した実施形態に限定されるものではなく、特許請求の範囲に記載された発明の範囲内で、様々に変形又は変更することが可能である。
【図面の簡単な説明】
【００３７】
【図１】実施形態に係る天井下地を示す断面図である。
【図２】実施形態に係る天井下地の要部を示す斜視図である。
【図３】実施形態に係る取付部材を示す斜視図である。
【図４】実施形態に係る取付部材を示す正面図である。
【図５】実施形態に係る天井下地の設置手順を示す図である。
【図６】他の実施形態に係る取付部材を示す斜視図である。
【符号の説明】
【００３８】
１  天井下地
２  取付部材
２１ａ  長孔取付孔
２１ｂ  丸孔取付孔
２２  保持部
３  水平部材
４  壁パネル
５  天井材
Ｗ  壁面
Ｔ  ネジ（締結具）
【図１】
2005068883.tif 000003
【図２】
2005068883.tif 000004
【図３】
2005068883.tif 000005
【図４】
2005068883.tif 000006
【図５】
2005068883.tif 000007
【図６】
2005068883.tif 000008